(57)【要約】【課題】  地球環境に悪影響を及ぼさない廃棄が可能で、且つ、貼付感に優れるようにパッドを薄くしても血や膿などを良く吸い取ることができる救急絆創膏を提供する。【解決手段】  生分解性を有する基材フィルム１と、基材フィルム１の片面に塗布された粘着剤層２と、粘着剤層２を介して基材フィルム１の長手方向中央部分に粘着された和紙製のパッド３と、パッド３側の残部の粘着剤層２を介して容易に剥離するように基材フィルム１のパッド３側を被覆した２枚の剥離紙４とからなる救急絆創膏１０。【選択図】  図１
2006314449.tif 000002
【特許請求の範囲】
【請求項１】
基材フィルムと、基材フィルムの片面に設けられた粘着剤層と、粘着剤層を介して基材フィルムの所定部位に粘着されたパッドとを有する救急絆創膏において、基材フィルムが生分解性樹脂からなり、パッドが和紙からなることを特徴とする救急絆創膏。
【請求項２】
生分解性の基材フィルムが、ポリ乳酸、コハク酸の何れか、若しくは前記の複合素材からなることを特徴とする請求項１記載の救急絆創膏。
【発明の詳細な説明】
【技術分野】
【０００１】
本発明は、傷口などの患部を速やかに被覆し、保護することができる救急絆創膏に関するものである。
【背景技術】
【０００２】
救急絆創膏は、一般に基材フィルムと、基材フィルムの片面に積層された粘着剤層と、粘着剤層を介して基材フィルムの長手方向中央部分などの所定部位に配置・粘着されたガーゼなどからなるパッドを備え、さらに、粘着剤層を介して基材フィルム上に容易に剥離することができる剥離紙が、パッドを覆うように積層されている。
【０００３】
斯かる救急絆創膏は、皮膚表面の創傷などを保護するために、主に家庭などで広く使用されている。そして、この種の救急絆創膏は、通常は使い捨てされるので、焼却したときにはダイオキシン、塩素ガスなどの有毒ガスの発生がなく、土中に廃棄した時には土中の微生物によって速やかに分解される、すなわち生分解性を備えたものであることが好ましいので、基材フィルムなどを生分解性を備えた樹脂により作製した考案がある（例えば、特許文献１参照。）。
【０００４】
なお、皮膚に直接貼付される救急絆創膏は、人体の複雑な形状や、日常生活での動きに追従し得る程度の柔軟性と伸縮性を備えていることが求められる。しかし、柔軟性と伸縮性に優れ、且つ、貼付部が厚ぼったく感じることがないように、創傷などの患部に宛てがわれるパッドを薄くすると、ガーゼなどでは血や膿などの体液を吸い取る能力が小さく、止血効果などが不足し勝ちになると云った問題点があった。
【特許文献１】特開２００２−２９４０４４号公報
【発明の開示】
【発明が解決しようとする課題】
【０００５】
したがって、焼却したときにはダイオキシン、塩素ガスなどの有毒ガスの発生がなく、土中廃棄した時には土中の微生物によって速やかに分解される、すなわち生分解性を備えた素材で、薄くても患部から出る血や膿などの体液を吸い取る能力の大きいパッドを備えた救急絆創膏を提供する必要があり、それが解決すべき課題となっていた。
【課題を解決するための手段】
【０００６】
本発明は、基材フィルムと、基材フィルムの片面に設けられた粘着剤層と、粘着剤層を介して基材フィルムの所定部位に粘着されたパッドとを有する救急絆創膏において、基材フィルムが生分解性樹脂からなり、パッドが和紙からなることを主要な特徴とする救急絆創膏である。
【０００７】
生分解性を有する基材フィルムは、例えば乳酸、グリコール酸、ヒドロキシ酪酸、ヒドロキシカプロン酸などのヒドロキシカルボン酸類、カプロラクトン、ブチロラクトン、ラクチド、グリコリドなどの環状ラクトン類、エチレングリコール、ブタンジオール、シクロヘキサンジメタノール、ビス−ヒドロキシメチルベンゼン、トルエンジオールなどのジオール類、コハク酸、アジピン酸、スベリン酸、セバシン酸、テレフタル酸、イソフタル酸、ナフタレンジカルボン酸などのジカルボン酸類、環状酸無水物類、オキシラン類などを成分とし、脂肪族成分および芳香族成分を有する共重合体により作製される。
【０００８】
なお、前記成分には生分解性に悪影響を与えない範囲で、ウレタン結合、アミド結合、エーテル結合などを添加することができる。また、基材フィルムは、パッドを創傷などの患部に宛がうためのものであるので、貼付時に十分な強度と柔軟性を備えておく必要があり、基材フィルムの性状にも拠るが通常は１０〜３００μｍの範囲で適宜選択される。
【０００９】
粘着剤層としては、皮膚刺激性の少ない医療用粘着剤として使用されている、例えばアクリル系粘着剤や天然ゴム系粘着剤、合成ゴム系粘着剤、シリコーン系粘着剤、ビニルエーテル系粘着剤、デンプン系粘着剤、これらの混合物などが使用可能であり、中でも生分解性を有するものの使用が好ましい。この粘着剤層は、皮膚粘着性の観点から１０〜１００μｍ、好ましくは２０〜８０μｍの厚さで使用する。
【００１０】
パッドを構成する和紙は、楮、三椏、雁皮を原料として作製された和紙が使用される。なお、パッドの厚さは３０〜１０００μｍ、特に好ましくは５０〜５００μｍ、坪量は５０〜３００ｇ、特に好ましくは９０〜１５０ｇの範囲で、ウォータジェット方式などにより、柔軟性に富んだ状態に作製された和紙がパッドとして使用される。
【００１１】
すなわち、和紙製のパッドは、３０μｍより薄いと患部から出る血や膿などの体液を吸い取る能力が不足し、１０００μｍより厚いと、前記柔軟化処理を行っても、柔軟性が劣り、貼付時にごわごわするので、厚さ３０〜１０００μｍに作製して使用する。
【００１２】
なお、和紙は、楮、三椏、雁皮の繊維（セルロース）を主原料としているので、土中に埋設されると、土中のバクテリアにより二酸化炭素と水に分解される。したがって、和紙製のパッドも生分解性を備えていることになる。
【００１３】
通常、パッドと粘着剤層とは、粘着剤層を介して基材フィルムに粘着される剥離紙により、剥離容易に被覆される。粘着剤層としては、生分解性の基材フィルムと同じ素材のフィルム面にフッ素系またはシリコーン系の剥離剤を塗布して作製したフィルムが使用できる。また、生分解性を備えないポリ塩化ビニルフィルムなどに、フッ素系またはシリコーン系の剥離剤塗布して剥離紙とすることも可能である。
【発明の効果】
【００１４】
本発明の救急絆創膏においては、基材フィルムが生分解性を備え、パッドも和紙からなるので、焼却したときにはダイオキシン、塩素ガスなどの有毒ガスの発生がないし、土中廃棄した時には土中の微生物によって速やかに分解される。
【００１５】
また、血や膿などの体液を吸い取る能力に優れた和紙によりパット部分を作製しているため、柔軟性と伸縮性を高め、貼付感を薄めるためにパッドを薄くしても、患部から出る血や膿などの体液を良く吸い取ることができる。
【発明を実施するための最良の形態】
【００１６】
ポリ乳酸、コハク酸の何れか、若しくは前記の複合素材からなる生分解性を備えた基材フィルムと、基材フィルムの片面に設けられた粘着剤層と、粘着剤層を介して基材フィルムの所定部位に粘着された和紙製のパッドとを有することを特徴とする救急絆創膏。
【実施例１】
【００１７】
以下、本発明の第１の実施例を図１と図２に基づいて詳細に説明する。
図面に例示した本発明の第１の実施例の救急絆創膏１０は、基材フィルム１と、基材フィルム１の片面に塗布された粘着剤層２と、粘着剤層２を介して基材フィルム１の長手方向中央部分に粘着されたパッド３と、パッド３側の残部の粘着剤層２を介して基材フィルム１のパッド３側を被覆した２枚の剥離紙４とからなる。
【００１８】
この場合の基材フィルム１は、ポリ乳酸からなる生分解性を有するフィルムから構成されていて、その寸法は、２０μｍ×１９ｍｍ×７５ｍｍである。
【００１９】
粘着剤層２は、皮膚刺激性の少ない医療用粘着剤として使用されている、生分解性を備えた天然ゴム系粘着剤から構成され、例えば３５μｍの厚さで基材フィルム１の片面に一様に塗布されている。
【００２０】
パッド３として、楮を原料とし、例えば厚さ１００μｍ、坪量１００ｇ、ウォータジェット処理による柔軟化処理を経て作製された和紙が使用されている。なお、この場合のパッド３は、例えば１０ｍｍ×２５ｍｍの大きさに作製されている。
【００２１】
２枚の剥離紙４は、少なくとも基材フィルム１に当接される側にシリコーン系剥離剤が塗布された、例えば生分解性を有する和紙製のフィルムからなり、例えば１００μｍの厚さで１枚は例えば１９ｍｍ×４０ｍｍの大きさに形成され、その円弧状に形成された長手方向の一方の端部が、基材フィルム１の円弧状に形成された長手方向の一端部に重なるように一端部側に片寄せて配設され、他の１枚は例えば１９ｍｍ×４２ｍｍの大きさに形成され、その円弧状に形成された長手方向の一方の端部が、基材フィルム１の円弧状に形成された長手方向の残余の端部に重なるように、残余の端部側に片寄せて配設され、すなわち中央のパッド３の部分で他方の端部同士が２枚重ね状態になるように配設されて、基材フィルム１のパッド３側に剥離が容易に粘着剤層２を介して粘着され、パッド３と粘着剤層２の表面を被覆している。
【００２２】
上記のようにして作製した救急絆創膏１０は、従来周知の救急絆創膏と同様に使用し得る。すなわち、２枚の剥離紙４を剥離しながらパッド３を創傷などの患部に宛がい、さらに剥離紙４を剥がして、パッド３の両側の露出した粘着剤層２を皮膚に押し付けることで、救急絆創膏１０が粘着剤層２の粘着力により皮膚に貼付される。
【００２３】
そして、本発明の救急絆創膏１０は、基材フィルム１、粘着剤層２、パッド３、剥離紙４の全てが生分解性であり、且つ、塩素系材料を使用していないので、使用後に廃棄するときにはそのまま焼却したり、土中に埋設しても地球環境に悪影響を及ぼす懸念がない。
【００２４】
すなわち、救急絆創膏１０は焼却されてもダイオキシンや塩素ガスなどの有毒ガスを発生することがないし、土中に埋設されても土中の微生物などにより無害な二酸化炭素と水に分解されるので、地球環境に及ぼす悪影響は殆どない。
【実施例２】
【００２５】
基材フィルム１をコハク酸からなる生分解性を備えたフィルムから構成し、粘着剤層２を生分解性を備えた澱粉系粘着剤から構成し、パッド３を三椏を原料とする和紙（厚さ５０μｍ、坪量１４０ｇ）、剥離紙４をコハク酸を原料とする生分解性を備えたフィルムから構成した本発明の第２の実施例の救急絆創膏１０においても、図１、図２に基づいて説明した前記第１の実施例の救急絆創膏１０と同様の優れた作用効果を奏することができる。
【００２６】
すなわち、本発明の第２の実施例の救急絆創膏１０においても、基材フィルム１、粘着剤層２、パッド３、剥離紙４の全てが生分解性であり、且つ、塩素系材料を使用していないので、使用後に廃棄する際にそのまま焼却してダイオキシンや塩素ガスなどの有毒ガスを発生することがないし、土中に埋設しても土中の微生物などにより無害な二酸化炭素と水に分解されるので、地球環境に及ぼす悪影響は殆どない。
【００２７】
なお、本発明は上記実施例に限定されるものではないので、特許請求の範囲に記載の趣旨に沿って各種の変形実施が可能である。
【００２８】
例えば、パッド３は、楮と三椏と雁皮とを適宜の比率で含有する和紙により形成されても良い。
【００２９】
また、２枚の剥離紙４は、同じ大きさであっても良いし、パッド３の基材フィルム１に対する貼着位置に応じて異なる大きさにしても良い。
【００３０】
また、基材フィルム１あるいはパッド３の大きさは、小さい傷口、大きい傷口に対応するように各種サイズの大きさに形成されて良い。
【００３１】
また、本発明の救急絆創膏１０は、生分解性の和紙からなる包装紙により個別包装して供給することなども可能である。
【図面の簡単な説明】
【００３２】
【図１】本発明の救急絆創膏の構成を示す（断面）説明図である。
【図２】剥離紙を剥がした状態の本発明の救急絆創膏を示す説明図である。
【符号の説明】
【００３３】
１  基材フィルム
２  粘着剤
３  パッド
４  剥離紙
１０  救急絆創膏
【図１】
2006314449.tif 000003
【図２】
2006314449.tif 000004